(57)【要約】【課題】ナビゲーション機能付オーディオ機器で、ナビゲーション以外の音声を出力している時において、ナビゲーションの音声案内も出力する時には、現在出力しているオーディオが朗読やトーク、或いは解説や学習用の音声等である時には音量を徐々に減少する処理を行わずに直ちに停止し、聞き取れない部分が生じないようにした「誘導経路音声案内出力オーディオ制御装置」とする。【解決手段】オーディオ出力中にナビゲーションの誘導経路音声案内が入る時には、現在再生しているオーディオが朗読やトーク、或いは解説や学習用の音声等の予め設定した特定のジャンルの時には音量を徐々に減少させずに直ちに停止し、音声案内が停止した時には音量を徐々に増加させずに通常の音声出力を行う。それ以外のジャンルの時には音量を徐々に減少してから再生を停止し、音声案内が停止した時には音量を徐々に増加する。【選択図】図１
2012098100.tif 000002
【特許請求の範囲】
【請求項１】
オーディオオとナビゲーションの誘導経路音声案内を同時に出力可能としたオーディオオ出力手段と、
ナビゲーションの誘導経路音声案内の開始を検出する誘導経路音声案内開始検出手段と、
前記誘導経路音声案内開始検出手段でナビゲーションの誘導経路音声案内が開始されることを検出した時、現在再生中のオーディオオの出力に対して指示を行うオーディオオ出力指示手段と、
前記誘導経路音声案内開始検出手段でナビゲーションの音声案内が開始されることを検出した時、現在再生出力しているオーディオオのジャンルを検出する再生オーディオオジャンル検出手段とを備え、
前記オーディオオ出力指示手段では、前記再生オーディオオジャンル検出手段で現在再生出力しているオーディオオが、予め設定した特定のジャンルであることを検出した時には、出力しているオーディオオの再生を一時停止する指示を行い、
前記予め設定した特定のジャンル以外のジャンルであることを検出した時には、出力しているオーディオオの音量を徐々に減少してから再生を停止する指示を行うことを特徴とする誘導経路音声案内出力オーディオオ制御装置。
【請求項２】
前記予め設定した特定のジャンルは、オーディオオ再生一時停止特定ジャンルデータ蓄積手段に蓄積しているジャンルであり、
前記オーディオオ出力指示手段では、予め前記再生オーディオオジャンル検出手段で検出したオーディオオのジャンルが、前記オーディオオ再生一時停止特定ジャンルデータ蓄積手段に蓄積しているジャンルであることを検出した時、出力しているオーディオオの再生を一時停止する指示を行うことを特徴とする請求項１記載の誘導経路音声案内出力オーディオ制御装置。
【請求項３】
誘導経路音声案内が終了したことを検出する誘導経路音声案内終了検出手段を備え、
前記誘導経路音声案内終了検出手段で誘導経路の音声案内が停止したことを検出した時、前記オーディオ出力指示手段で先にオーディオの音量を徐々に減少してから再生を停止する指示を行った時には、オーディオの音量を徐々に増加してから通常の音声出力をする指示を行うことを特徴とする請求項１記載の誘導経路音声案内出力オーディオ制御装置。
【請求項４】
誘導経路音声案内が終了したことを検出する誘導経路音声案内終了検出手段を備え、
前記誘導経路音声案内終了検出手段で誘導経路の音声案内が停止したことを検出した時、前記オーディオ出力指示手段で先にオーディオの再生を一時停止する指示を行った時には、オーディオの音量を徐々に増加することなく通常の音声出力をする指示を行うことを特徴とする請求項１記載の誘導経路音声案内出力オーディオ制御装置。
【請求項５】
前記オーディオ出力手段は、車両に搭載したヘッドユニットであることを特徴とする請求項１記載の誘導経路音声案内出力オーディオ制御装置
【発明の詳細な説明】
【技術分野】
【０００１】
本発明は、ナビゲーション機能付オーディオ機器で各種オーディオを聴いている時、ナビゲーションの誘導経路音声案内が出力される際には、出力しているオーディオのジャンルに応じて、オーディオの音量を漸減するか、直ちに一時停止するかの制御を行うことができるようにした誘導経路音声案内出力オーディオ制御装置に関する。
【背景技術】
【０００２】
近年は車両にナビゲーション装置を搭載することが広く普及しており、利用者が設定した目的地に向けて現在地からの誘導経路を、一般道路優先、高速道路優先等の各種条件で適切な誘導経路を提示し、利用者が選択した誘導経路に沿って、安全且つ確実に目的地まで案内することができるようになっている。また、同様の機能を行う携帯型ナビゲーション装置、或いは各種携帯機器にナビゲーション機能を備えたものも普及している。
【０００３】
この時の誘導経路の案内に際しては、例えば右左折交差点において、地図を表示するモニタに交差点拡大図を表示し、これから右左折しようとしている道路の状態、周囲の状況をわかりやすく表示すると共に、音声によって例えば「６００先の○○○交差点を右折です。」のような案内を行っている。
【０００４】
一方、ほとんどの車両にはオーディオ装置を搭載しており、ラジオ受信器、ＣＤやＤＶＤ等のオーディオプレーヤをヘッドユニット内に内蔵し、或いは別途プレーヤを接続して、車内のオーディオシステムによって聴くことができるようになっている。また、オーディオ装置の中心となるヘッドユニットにおいては、近年はメモリカードを挿抜可能なスロットを備え、大量のオーディオデータを記録したメモリカードのデータを再生し、或いは同様のＵＳＢメモリを接続可能としている。更に、各種外部機器と有線或いは無線によってデータ通信可能に接続できるようにした接続手段を備えることも多くなっている。
【０００５】
それにより、近年広く普及している大量のオーディオデータを記録した携帯オーディオ機器が車内に持ち込まれる時、前記有線または無線の接続手段によって互いにデータ通信可能に接続し、この携帯オーディオ機器のオーディオデータを取り込んで再生し、或いは携帯オーディオ機器の出力音声をそのまま入力して、ヘッドユニットでこれを増幅し、車内のスピーカで聴くこともできる。
【０００６】
また、前記のようなナビゲーション装置は、ヘッドユニットとは別の装置として機体に取り付けられることが多く、車両に固定したモニタに地図画面等を表示することが多かった。しかしながら近年のナビゲーション装置の小型化により、ヘッドユニット内に、その一部の機能として備えるようにもなっている。その時には、ヘッドユニットのナビゲーション機能部において、車両に固定したモニタに地図画面等を表示し、音声案内はヘッドユニットのオーディオ出力機能によってスピーカから出力する。
【０００７】
そのため、ヘッドユニットにおいては、ラジオ受信器、ＣＤやＤＶＤの再生等のオーディオ出力、及び接続した外部オーディオ機器の車内スピーカへのオーディオ出力等を行いながら、ナビゲーション機能が作動している時にはその音声案内も出力することとなる。また、ヘッドユニットがナビゲーション機能を備えておらず、別途ナビゲーション装置を備えて、音声案内を車内のスピーカから出力しようとする時には、同様に前記のようなオーディオ出力と共に、ナビゲーション装置の音声案内も出力することとなる。
【０００８】
なお、オーディオ音声が出力されている状況でナビゲーション用の音声を割込出力させる場合、オーディオ音声がＣＤ等の音声記録媒体を再生して出力されている場合には、その再生装置を一時停止させ、ナビゲーションの音声案内の割込出力が終了した後で再生を再開するようにした技術は特許文献１に開示されている。
【先行技術文献】
【特許文献】
【０００９】
【特許文献１】特開２０００−２６６５５８号公報
【発明の概要】
【発明が解決しようとする課題】
【００１０】
前記のように、車両に搭載したヘッドユニット等のオーディオ装置においては、内装しているＣＤプレーヤや、データ通信可能に接続した外部機器としての携帯オーディオ機器からのオーディオデータを再生し、或いは外部機器の音声出力をそのまま増幅して車内のスピーカからオーディオ出力することができるが、このヘッドユニットにおいては、ナビゲーションの音声案内も出力するようになっているため、オーディオを聴いている時にナビゲーション用の音声も重ねて出力され、オーディオの音声が高い時にはナビゲーション装置の音声案内が聞き取れなくなる。
【００１１】
そのため、前記従来技術ではナビゲーション用の音声案内を出力する時には、ＣＤプレーヤの再生を一時停止し、音声案内が終了してから再生を開始することが提案されているが、それでは現在出力していたオーディオが突然切れてしまい、それに替わってナビゲーション用の音声案内が出力されると、運転者等の利用者にとっては違和感を感じることとなる。
【００１２】
その対策としては、音楽等のオーディオ出力中にナビゲーション用の音声案内が行われる時には、オーディオ出力の音量を徐々に減少させ、最終的にオーディオの再生を停止してから音声案内を出力することが考えられる。
【００１３】
しかしながら、前記のような音楽のオーディオが出力されている時には良いものの、近年は電子書籍のデータ、或いは電子書籍の朗読データを携帯機器に記録し、或いはメモリに記録して、テキストデータ読み上げソフトによりオーディオとして再生して聴き、或いは電子書籍の朗読データが存在する時にはそれを再生して聴くことが多くなっている。
【００１４】
そのような電子書籍の読み上げ音声、或いは朗読を聴いている時には、ナビゲーション用の音声案内の出力時に音量が徐々に消えていき、音声案内が始まる時には、その後音声案内が終了して読み上げ、或いは朗読が再開される時、途中の話が聞き取れないまま次の朗読が開始されるため、特に話の重要な部分が聞こえなかった時には、全体の話の筋がわからなくなってしまう問題がある。
【００１５】
特に、前記のように音声が徐々に消えていき、その後音声案内が終了してオーディオ出力を再開する時には、一般のオーディオの再生時に行われているように、音声の切替時の違和感を無くすため音量を徐々に減少した後は、そのオーディオ出力を再開する時にも同様に違和感を無くすため音量を徐々に増大する操作が行われ、最終的に通常の音量に戻すことが行われることとなる。このような操作が行われると、前記のように電子書籍の読み上げや朗読が再開される時には、聞き取れない部分が倍増することとなり、更に問題が顕著となることが考えられる。
【００１６】
このような、音量を徐々に減少させ、また音量を徐々に増大する時の、途中が聞き取れないことによる問題は、前記のような電子書籍に限らず、例えばＣＤや他からダウンロードした落語等の話、或いは有名な人のトークや落語等を録音したＣＤ等においても同じ問題が生じる。
【００１７】
更に近年はインターネットのＷｅｂサイトから一般の音楽を初めとした各種のオーディオデータを取り込み、これをメモリに記録して持ち歩き、或いは携帯オーディオ機器でこれを利用可能とすることが広く行われるようになっている。特にこのような電子データの取り込みを容易にしたことをセールスポイントとする携帯オーディオ機器が普及し、同様の機器がオーディオ機器メーカー各社から販売されるようになっている。
【００１８】
その時取り込まれるオーディオは、音楽以外にニュース、天気予報、ビジネス解説、健康問題解説、近年の科学の解説、旅行記、ショッピング案内、占い、等々の音声も多くなっている。これらの音声データは、予め利用者が特定のサイトを指示することにより、そこで更新される前記のような各種の分野の音声が自動的に更新されるシステムがあるので、特に利用者が多くなっている。
【００１９】
そのため、例えば図６に示すように車両搭載のヘッドユニットに携帯オーディオ機器を接続し、ヘッドユニットの表示部、或いはモニタに携帯オーディオ機器の表示部と同様の表示を行い、そのタッチパネル機能によって携帯オーディオ機器の再生指示を行う時、携帯オーディオ機器に記録している前記のような音楽以外にも、各種の音声出力を車内のスピーカから聴くことが広く行われるようになっている。
【００２０】
このような各種の音声データをヘッドユニットで取り込み、聴くことが多くなると、前記のようなナビゲーションの音声案内出力時に、音量を徐々に減少し、音声案内終了時に音量を徐々に増大する処理を行うと、それらの再生していた音声は途中が聞き取れなくなり、全体の内容がわからなくなってしまうこととなる。その音声が例えば語学学習の音声のような場合は、順序だった学習の一部が聞き取れなくなるため、次の学習に大きな影響を与えてしまう、という問題もある。このような問題は、車両に搭載したオーディオ機器に限らず、例えばナビゲーション機能付の携帯型機器にオーディオ出力機能も備える時、オーディオ出力中にナビゲーションの音声案内が出力される時にも同様の問題を生じる。
【００２１】
したがって本発明は、ナビゲーション機能付オーディオ機器で、ナビゲーション以外の音声を出力している時において、ナビゲーションの音声案内も出力する時には、ナビゲーション以外の音声の音量を徐々に減少させて音声の切替による違和感を除こうとする場合に、そのナビゲーション以外の音声が朗読やトーク、或いは解説や学習用の音声等である時に、聞き取れない部分が生じることの問題を解決することを主たる目的とする。
【課題を解決するための手段】
【００２２】
本発明に係る誘導経路音声案内出力オーディオ制御装置は、前記課題を解決するため、オーディオとナビゲーションの誘導経路音声案内を同時に出力可能としたオーディオ出力手段と、ナビゲーションの誘導経路音声案内の開始を検出する誘導経路音声案内開始検出手段と、前記誘導経路音声案内開始検出手段でナビゲーションの誘導経路音声案内が開始されることを検出した時、現在再生中のオーディオの出力に対して指示を行うオーディオ出力指示手段と、前記誘導経路音声案内開始検出手段でナビゲーションの音声案内が開始されることを検出した時、現在再生出力しているオーディオのジャンルを検出する再生オーディオジャンル検出手段とを備え、前記オーディオ出力指示手段では、前記再生オーディオジャンル検出手段で現在再生出力しているオーディオが、予め設定した特定のジャンルであることを検出した時には、出力しているオーディオの再生を一時停止する指示を行い、前記予め設定した特定のジャンル以外のジャンルであることを検出した時には、出力しているオーディオの音量を徐々に減少してから再生を停止する指示を行うことを特徴とする。
【００２３】
また、本発明に係る他の誘導経路音声案内出力オーディオ制御装置は、前記誘導経路音声案内出力オーディオ制御装置において、前記予め設定した特定のジャンルは、予めオーディオ再生一時停止特定ジャンルデータ蓄積手段に蓄積しているジャンルであり、前記オーディオ出力指示手段では、前記再生オーディオジャンル検出手段で検出したオーディオのジャンルが、前記オーディオ再生一時停止特定ジャンルデータ蓄積手段に蓄積しているジャンルであることを検出した時、出力しているオーディオの再生を一時停止する指示を行うことを特徴とする。
【００２４】
また、本発明に係る他の誘導経路音声案内出力オーディオ制御装置は、前記誘導経路音声案内出力オーディオ制御装置において、誘導経路音声案内が終了したことを検出する誘導経路音声案内終了検出手段を備え、前記誘導経路音声案内終了検出手段で誘導経路の音声案内が停止したことを検出した時、前記オーディオ出力指示手段で先にオーディオの音量を徐々に減少してから再生を停止する指示を行った時には、オーディオの音量を徐々に増加してから通常の音声出力をする指示を行うことを特徴とする。
【００２５】
また、本発明に係る他の誘導経路音声案内出力オーディオ制御装置は、前記誘導経路音声案内出力オーディオ制御装置において、誘導経路音声案内が終了したことを検出する誘導経路音声案内終了検出手段を備え、前記誘導経路音声案内終了検出手段で誘導経路の音声案内が停止したことを検出した時、前記オーディオ出力指示手段で先にオーディオの再生を一時停止する指示を行った時には、オーディオの音量を徐々に増加することなく通常の音声出力をする指示を行うことを特徴とする。
【００２６】
また、本発明に係る他の誘導経路音声案内出力オーディオ制御装置は、前記誘導経路音声案内出力オーディオ制御装置において、前記オーディオ出力手段が、車両に搭載したヘッドユニットであることを特徴とする。
【発明の効果】
【００２７】
本発明は上記のように構成したので、ナビゲーション機能付オーディオ機器で、ナビゲーション以外の音声を出力している時、ナビゲーションの音声案内も出力する時には、ナビゲーション以外の音声の音量を徐々に減少させて音声の切替による違和感を除こうとする場合に、そのナビゲーション以外の音声が朗読やトーク、或いは解説や学習用の音声等である際には、それらの音声データのジャンルを検出して、予め定めた特定のジャンルであることを検出した時に、音量を徐々に減少することなく直ちに再生を停止して音声案内を行うことにより、聞き取れない部分が生じないようにすることができる。
【図面の簡単な説明】
【００２８】
【図１】本発明の実施例の機能ブロック図である。
【図２】同実施例の作動フロー図である。
【図３】オーディオ機器に蓄積されているオーディオデータ例を示す図である。
【図４】オーディオプレーの表示例を示す図である。
【図５】圧縮オーディオにおけるジャンル及び細ジャンルの例を示す図である。
【図６】ヘッドユニットに携帯オーディオ機器を接続した時の例を示す図である。
【発明を実施するための形態】
【実施例】
【００２９】
本発明の実施例を図面に沿って説明する。図１は本発明の実施例の機能ブロック図であり、本発明を各種の態様で実施することができるようにした機能ブロック図を示している。なお、同図において、各機能を行う機能部は、それぞれ各機能を行う手段ということができる。
【００３０】
図１に示す例においては、例えばヘッドユニット等の車両搭載オーディオ機器１に、携帯オーディオ機器２として示す外部機器を外部機器接続部１６で接続した例を示しており、前記図６に示した機器構成と同様の例を示している。本発明においては従来から広く用いられているｍｐ３等の圧縮オーディオデータ、及び近年広く用いられるようになっている、インターネットから取り込んだ各種ニュースや解説、語学等の音声データを含むオーディオデータを記録している、携帯オーディオ機器２を用いる例を示している。
【００３１】
但し、この車両搭載オーディオ機器１には、例えばＣＤプレーヤ等の車両搭載オーディオ機器内に設けている、内装オーディオ機器１７を備えた例を示している。そのほか、車両に別途搭載しているＣＤやＤＶＤプレーヤ、或いはそれらのディスクチェンジャ、メモリカードスロットにオーディオデータを初めとする各種データを記録したメモリカードを挿入して用いる、等の種々のオーディオ出力の態様が存在する。したたって、本発明においては前記のような外部オーディオ機器２を接続していない場合でも、それらのオーディオ出力機器の作動に際しても同様に作動する。
【００３２】
図示するヘッドユニット１においては、システム制御部３に各種の機能部が接続し、システム制御部３ではソフトウェアを記録したＲＯＭ、演算を行うＣＰＵ及び一時データを記録するＲＡＭ等を備え、ソフトウェアに従った処理を行うことにより、各機能部が関連して作動を行い、所定の機能がなされる。
【００３３】
ヘッドユニット１におけるオーディオ出力制御部４においては、この車両搭載オーディオ機器１から車内のスピーカに出力する制御を総合的に行うものであり、したがって前記のようにこの車載オーディオ機器１に接続する携帯オーディオ機器２や、内装オーディオ機器１７等の作動によって車内のスピーカから出力するオーディオを制御可能としている。
【００３４】
オーディオ出力制御部４における誘導経路音声案内開始検出部５においては、後述するナビゲーション機能部１８における多数の機能の内の一つとして示している誘導経路案内部１９で、例えば右左折交差点の案内等、音声案内を行う時、その音声案内の開始の信号を取り込み、誘導経路音声案内の開始を検出し、その信号をオーディオ作動検出部６、及びオーディオ出力指示部１０に出力している。
【００３５】
オーディオ作動検出部６においては、特に再生オーディオジャンル検出部７において、前記のように携帯オーディオ機器が接続してデータの送受信可能に接続している時、また、内装オーディオ機器１７が作動している時には、現在再生しているオーディオのジャンルを検出して、後述するオーディオ出力指示部１０にその信号を出力する。
【００３６】
再生オーディオジャンル検出部７で検出するオーディオのジャンルとしては、各種のオーディオによってそのオーディオデータに記録されているジャンルは必ずしも一致しないが、少なくともここでは一般的な音楽の以外の、途中で一部音声がとぎれては全体に影響するようなジャンルを検出するものとする。これらのジャンルとしては、ｍｐ３圧縮オーディオデータでは、ＩＤ３にジャンル分けがされている「Ｓｐｅｅｃｈ」のようなジャンルが存在するので、これを検出する。
【００３７】
更に、一般的な音楽以外のジャンルとしては、前記のように電子書籍のテキストデータの読み上げ、声優等による朗読、落語等のほか、Ｗｅｂサイトからのキャスティングのダウンロードデータとして、トーク番組、ニュース、天気予報、ビジネス解説、健康問題解説、近年の科学の解説、旅行記、ショッピング案内、占い、等々の音声による配信データも存在する。したがってこれらのジャンル、或いはその全体のジャンルとしてのＷｅｂのキャスティングデータの識別コード等を検出してもよい。
【００３８】
また、種々の圧縮オーディオのジャンルにおいては、例えば図５にも示すように、下記のようなジャンル分け、及び細ジャンル分けも存在する。
［朗読］   
文学                文学。 
詩                  詩の朗読を含む楽曲（メロドラマ等を含む）。 
叙事詩と説話        叙事詩と説話。 
歴史                歴史。 
子供のための物語    物語の朗読とクラシックを組み合わせたもの等。 
子供のためのノン・フィクション        クラシック音楽の歴史。 
アンソロジー        アンソロジー。 
芸術                クラシック音楽の歴史等。 
バイオグラフィー    バイオグラフィー。 
子供のための古典文学      子供向けの楽曲。 
古典文学            古典文学。 
宗教                宗教。 
ノン・フィクション  ノン・フィクション。 
音楽家の伝記        有名作曲家の人生たどった作品集。 
音楽教育            子供向けに、有名作曲家の作品を楽曲ごとに演奏を交え解説等    戯曲（その他）      戯曲の朗読 
戯曲（シェイクスピア）  シェイクスピアの戯曲の朗読。 
宗教聖典            宗教聖典朗読 
【００３９】
上記のようにオーディオデータとして記録されるジャンルには、それぞれのデータ形式で種々のものが存在するので、本発明においてナビゲーション用の音声案内が、例えば外部携帯機器のオーディオ出力に割り込まれる時、音量を徐々に減少して再生することによって途中の音声が聞き取れなくなって困るようなジャンルについてのデータを予め収集して、図１に示すオーディオ出力一時停止特定ジャンルデータ蓄積部８に蓄積しておき、オーディオ出力指示部１０で使用可能とする。
【００４０】
誘導経路音声案内終了検出部９では、ナビゲーション機能部１８の誘導経路案内部１９で出力している誘導経路の音声案内が終了したことを検出し、オーディオ出力指示部１０にその信号を出力する。
【００４１】
オーディオ出力指示部１０は、特に前記のように例えば携帯オーディオ機器等のオーディオをヘッドユニットに接続したスピーカから出力している時、ナビゲーション機能部１８の誘導経路案内部１９が音声案内を行う時には、音量の漸減及び漸増の音量調節の指示を行うか、そのような音量調節を行わずにオーディオの出力を一時停止する指示を行うか等の、本発明における中心となるオーディオ出力指示を行う。
【００４２】
即ち、オーディオ出力指示部１０においては、前記誘導経路音声案内開始検出部５で、ナビゲーション機能部が音声案内を開始することを検出した時、オーディオ作動検出部６で現在スピーカからオーディオを出力していることを検出し、特にその中の再生オーディオジャンル検出部７で現在再生して出力しているオーディオのジャンルを検出して、そのジャンルはオーディオ再生一時停止特定ジャンルデータ蓄積部８に蓄積されているジャンルであるか否かを判別し、その判別結果に応じて出力指示を行う。
【００４３】
その時の出力指示としては、現在再生して出力しているオーディオのジャンルが、オーディオ再生一時停止特定ジャンルデータ蓄積部８に蓄積されているジャンルではないと判別した時には、音量調節指示部１１における音量漸減指示部１２において、オーディオ出力部２２の音量調節部２３における音量漸減調整部２４に対して、音量を漸減する指示を行う。
【００４４】
また、現在再生して出力しているオーディオのジャンルが、オーディオ再生一時停止特定ジャンルデータ蓄積部８に蓄積されているジャンルであると判別した時には、オーディオ出力一時停止指示部１４において、現在オーディオ出力の作動を行っている機器等に対して、再生を一時停止する指示を行う。この時現在再生出力しているオーディオ機器が携帯オーディオ機器２である時には、外部機器接続部１６を介して、携帯オーディオ機器２に対して、再生を一時停止する指示を行う。
【００４５】
図示するオーディオ出力指示部１０においては、音量調節指示部１１に音量漸増指示部１３を備え、前記のように音量漸減指示部１２で、ナビゲーションの音声案内が開始した時、現在再生中のオーディオの音量を次第に減少する漸減指示を行った時には、その後誘導経路音声案内終了検出部９で誘導経路の音声案内が終了したことを検出した時、この音量漸増指示部１３で音量を次第に増大して音声の突然の変更に違和感を与えないようにする指示を行っている。その際にはオーディオ出力部２２の音量調節部２３における音量漸増調整部２５で音量の漸増処理を行う。
【００４６】
オーディオ出力指示部１０におけるオーディオ再生一時停止指示部１４においては前記のように、オーディオ再生出力中に誘導経路の音声案内出力が開始されることを検出した時、現在再生出力中のオーディオのジャンルを検出し、そのジャンルがオーディオ再生一時停止特定ジャンルデータ蓄積部８に蓄積されているジャンルに存在する時、オーディオの音量を漸減することなく、直ちに一時停止する指示を、現在再生中のオーディオ機器、或いはオーディオ再生機能部に対して出力を行う。
【００４７】
オーディオ再生開始指示部１５では、その後誘導経路の音声案内終了検出部９で誘導経路の音声案内が終了したことを検出した時、一時停止していたオーディオの再生を開始する指示を行う。
【００４８】
外部機器接続部１６においては、前記のようにこのヘッドユニット等の車両搭載オーディオ機器１に対して、携帯オーディオ機器２等をデータ通信可能に接続する。その接続に際しては必ずしも有線に限らず、ブルートゥースを含む各種無線接続を行うこともできる。この接続により、携帯オーディオ機器２等の外部オーディオ機器からのデータを受信して車両搭載オーディオ機器１でこれを再生し、或いは外部オーディオ機器の再生信号を取り込んでオーディオ出力するようにしても良い。
【００４９】
また、現在外部オーディオ機器自体が再生を行っている時には、この外部オーディオ機器接続部１６から外部オーディオ機器に対して、前記のようにオーディオ再生一時停止指示部１４及びオーディオ再生開始指示部１５からの指示が出力された時、携帯オーディオ機器２に対して、ここからその指示信号を出力する。
【００５０】
内装オーディオ機器１７は、このヘッドユニット等の車両搭載オーディオ機器１の内部に装着している、例えばＣＤプレーヤ等のオーディオ機器であり、このような内装オーディオ機器１７の作動によるオーディオ再生出力時においても、前記オーディオ出力指示部１０では前記と同様の作動を行う。
【００５１】
ナビゲーション機能部１８においては、図示の例ではヘッドユニット等の車両搭載オーディオ機器自体にナビゲーション機能を備えている例を示している。しかしながら、それ以外に別途ナビゲーション装置を備え、これを外部機器接続部１６においてデータ通信可能に接続することにより、ナビゲーション装置の音声案内開始、終了信号を取り込むことによって、本発明においては同様の作動を行うことができる。
【００５２】
ナビゲーション機能部１８には通常のナビゲーション機能を行うための誘導経路演算機能等の周知の機能を備えているが、特に誘導経路案内部１９では、右左折交差点等の音声案内の出力を行い、その開始及び終了信号を、前記誘導経路案内開始検出部５及び誘導経路音声案内終了検出部９で検出している。
【００５３】
音声出力部２０では、出力する音声の種類として、ナビゲーションの音声案内の出力を行う誘導経路音声案内出力部２１と、オーディオを出力するオーディオ出力部２２とを備えている。その中のオーディオ出力部２２においては、前記音量調節指示部１１における音量漸減指示部１２の指示によって音量を次第に減少する処理を行う音量漸減調整部２４と、音量漸増指示部１３の指示によって音量を次第に増大する処理を行う音量漸増調整部２５とを備える。
【００５４】
なお、オーディオ出力部１０の音量調節指示部１１における音量漸減指示部１２で音量を次第に減少する指示を行った後、音量がほぼゼロになった時には、オーディオ再生一時停止指示部１４がこれを検出し、再生していたオーディオ機器に対して以降は一時再生を停止する指示を行う。
【００５５】
図１に示すような本発明の誘導経路音声案内出力オーディオ制御装置においては、例えば図２に示す作動フローによって実施することができる。図２の誘導経路音声案内出力オーディオ制御処理においては、最初にナビゲーションの作動（ステップＳ１）を前提として以降の処理がなされる。
【００５６】
次いでオーディオは再生中か否かを判別し（ステップＳ２）、再生中ではない時にはステップＳ１に戻って前記作動を繰り返す。ステップＳ２でオーディオ再生中であると判別した時には、ナビゲーションが作動し、且つオーディオも再生作動を行っている時であり、その時には誘導経路音声案内を開始する状態か否かを判別する（ステップＳ３）。この判別は、図１の誘導経路音声案内開始検出部５において、ナビゲーション機能部１８の誘導経路案内部１９の信号を監視し、音声案内を出力する状態になったか否かを検出することにより行っている。
【００５７】
ステップＳ３において誘導経路の音声案内を開始する状態になっていないと判別した時には、ステップＳ１に戻って前記作動を繰り返す。それに対してステップＳ３において誘導経路の音声案内を開始する状態になったことを検出した時には、再生中のオーディオのジャンルを検出する（ステップＳ４）。
【００５８】
次いで再生中のオーディオは一時停止るジャンルであるか否かを判別する。その判別に際しては、図１のオーディオ出力指示部１０において、再生オーディオジャンル検出部７で検出した現在再生しているオーディオのジャンルが、オーディオ再生一時停止特定ジャンルデータ蓄積部８に蓄積しているジャンルに存在するか否かを判別することにより行っている。
【００５９】
この時には例えば図３に示すオーディオデータ例のリストでは、Ｎｏ.４〜８に示すようなジャンルがオーディオ再生一時停止特定ジャンルデータ蓄積部８に蓄積されている時、現在再生しているオーディオのジャンルはナビゲーションの音声案内出力時には再生を一時停止するジャンルであることを検出することができる。なお、図３の例においては、ジャンルが「ＷＥＢ−ＣＡＳＴ」等のジャンルは、図４に示すような携帯オーディオプレーヤの「曲を探す」画面で、「Ｗｅｂ−ＣＡＳＴ」及び「オーディオブック」に識別コードと共に展開されている。
【００６０】
ステップＳ５において、再生中のオーディオは一時停止するジャンルであると判別した時、即ち、現在再生中のオーディオが図３のＮｏ.４〜８のジャンルのような時には、ステップＳ６に進んで、オーディオ再生を一時停止する指示を行い、その指示により現在オーディオを再生出力しているオーディオ機器、或いはオーディオ機能部は再生を一時停止する。それにより、例えば書籍の朗読、落語、各種解説、ニュース等のオーディオの再生時に、徐々に音量が減少してしまい、途中で聞き取れない部分が存在することによる、全体の話や解説の内容がわからなくなってしまう問題を解決することができる。
【００６１】
なお、このように現在再生している音声を一時停止してナビゲーションの音声を出力する時には、例えばオーディオの音声を一時停止した後、３秒等の短時間音声出力を全く行わない時間をとってから、ナビゲーションの音声案内を行うように設定し、突然の音声切替による違和感を無くすように設定することもできる。
【００６２】
それに対して現在再生中のオーディオが、図３のＮｏ.１〜３のジャンルのような時には、ステップＳ５で再生中のオーディオのジャンルは一時停止するジャンルではないと判別する。その時には図１のオーディオ出力指示部１０で再生オーディオジャンル検出部７で検出した現在再生中のジャンルが、少なくともオーディオ再生一時停止特定ジャンルデータ蓄積部８に蓄積しているデータの中に存在しないと判別し、ステップＳ１２に進んで、本来の処理であるオーディオの音量を漸減する処理を行い、最終的に再生を停止する。それにより、例えば音楽のオーディオが出力されている時、突然にナビゲーションの案内音声に切り替わって、利用者にとまどいを感じさせず、違和感を与えないようにすることができる。
【００６３】
前記ステップＳ６及びＳ１２の処理を行った後はいずれもステップＳ７に進み、誘導経路音声案内を行う。その後誘導経路音声案内は終了したか否かを判別し（ステップＳ８）、未だ終了していない時にはステップＳ７に戻って音声案内の終了を待つ。それに対してステップＳ８で誘導経路の音声案内が終了したと判別した時にはステップＳ９において、前記ステップＳ５と同様に、再生していたオーディオは一時停止するジャンルであったか否かを判別する。
【００６４】
ステップＳ９の判別で、前記ステップＳ５で判別した時のデータにより、再生していたオーディオは一時停止するジャンルであったと判別した時には、先のステップＳ６で行ったオーディオ再生の一時停止を解除し、再生を開始する。それにより、例えば音声を徐々に増大して通常の再生音量にするような処理を行わず、先に一時停止していた再生箇所から明瞭な再生が開始されるため、朗読や各種解説等の途中が聞き取れないことによる問題を解決することができる。
【００６５】
それに対してステップＳ９で再生していたオーディオは一時停止するジャンルではなかったと判別した時、即ち前記ステップＳ５において再生中のオーディオは一時停止するジャンルではなかったことにより、ステップＳ１２で音量を漸減して再生を停止する処理を行っていた場合は、図１の例ではステップＳ１２に進んで、音量を漸増してその後通常再生を行う。それにより、誘導経路の音声案内から突然に通常音量のオーディオ出力を行うことによる違和感を感じさせないようにすることができる。
【００６６】
ステップＳ１０及びステップＳ１３の処理を行った後はいずれもステップＳ１１に進み、目的地に到着したか否かを判別し、未だ目的地に到着していない時にはステップＳ１に戻って、目的地に到着するまで前記作動を繰り返す。それに対して目的地に到着したと判別した時には、ステップＳ１４に進んでこの一連の処理を終了する。
【符号の説明】
【００６７】
１  車両搭載オーディオオ機器
２  携帯オーディオオ機器
３  システム制御部
４  オーディオオ出力制御部
５  誘導経路音声案内開始検出部
６  オーディオオ作動検出部
７  再生オーディオオジャンル検出部
８  オーディオオ再生一時停止特定ジャンルデータ蓄積部
９  誘導経路音声案内終了検出部
１０  オーディオオ出力指示部
１１  音量調節指示部
１２  音量漸減指示部
１３  音量漸増指示部
１４  オーディオオ再生一時停止指示部
１５  オーディオオ再生開始指示部
１６  外部機器接続部
１７  内装オーディオオ機器
１８  ナビゲーション機能部
１９  誘導経路案内部
２０  音声出力部
２１  誘導経路音声案内出力部
２２  オーディオオ出力部
２３  音量調節部
２４  音量漸減調整部
２５  音量漸増調整部
【図１】
2012098100.tif 000003
【図２】
2012098100.tif 000004
【図３】
2012098100.tif 000005
【図４】
2012098100.tif 000006
【図５】
2012098100.tif 000007
【図６】
2012098100.tif 000008